(57)【要約】【課題】異社間の携帯電話の通話においても、お互いに同じ携帯電話会社の携帯電話同士で通話しているのと同等の環境を構築し、同社携帯電話間でのさまざまなサービスを享受できる携帯電話通信システムを提供すること。【解決手段】異社携帯電話の通話環境の間に、中継局を配置し、該中継局に両方の携帯電話会社の携帯電話に適応し、相互にデータ変換できる環境を構築する。また、前記の中継局に、発信者側電話会社の携帯電話番号による通信手段と、着信者側電話会社の携帯電話番号による通信手段とが設けられ、発信者と着信者の各々が自分と同じ電話会社の携帯電話と通話している状態を構築する。【選択図】  図１
2007116390.tif 000002
【特許請求の範囲】
【請求項１】
異社間の携帯電話の通信システムにおいて、発信者側の携帯電話会社のネットワークと、着信者側の携帯電話会社のネットワークとの間に、中継局が設けられ、該中継局には、発信者からの電話を着信する着信部と、各携帯電話会社の電話通信を相互に変換するための変換部と、変換された電話信号を着信者に発信するための発信部とが設けられ、発信者側の携帯電話通信と、着信者側の携帯電話通信とが、該中継局において、相互に変換されて通話が行われることを特徴とする異社間の携帯電話通信システム。
【請求項２】
前記の中継局に、発信者側電話会社の携帯電話番号による通信手段と、着信者側電話会社の携帯電話番号による通信手段とが設けられ、発信者と着信者の各々が自分と同じ電話会社の携帯電話と通話している状態を構築できることを特徴とする請求項１に記載の異社間の携帯電話通信システム。
【請求項３】
前記の中継局において、前記の変換部が複数設けられ、発信者からの電話を着信部が着信した場合に、該複数の変換部の中から未使用状態の変換部を検索して接続し、着信部を未接続の状態に切り換えるための回線制御部が設けられていることを特徴とする請求項１又は請求項２に記載の異社間の携帯電話通信システム。
【発明の詳細な説明】
【技術分野】
【０００１】
本発明は、異なる携帯電話会社の携帯電話機間の通話を行うための携帯電話通信システムに関し、特に、発信者側の携帯電話通信を、着信者側の携帯電話通信に合わせることができる携帯電話通信システムに関する。
【背景技術】
【０００２】
従来より、携帯電話間の通話においては、各携帯電話会社により、その機能やサービスが異なるため、十分に携帯電話の機能やサービスを実現できないという問題があった。
【０００３】
文字、画像、映像、音楽などをやり取りする場合などでは、他社の携帯電話機ではその機能がなかったり、機能はあるがそのサービスに対応していなかったりなど、同じ携帯電話会社の携帯電話同士でないと、十分な機能、サービスをうけることができないことも少なくない。
【０００４】
特開平１４−０４４２４９号では、携帯電話間の機能の違いを通信データ変換サーバで各携帯電話機間の形式変換を実現し、異なる携帯電話機間でもスムーズにコミュニケーションができるようにした携帯端末間形式変換システムを開示している。
【０００５】
特開２００３−１６３６９５号では、異社の携帯電話機間での異なる文字メッセージサービスを、ネットワークを介して文字メッセージサービスセンターにより、相手先の携帯電話機に対応した文字メッセージサービスに変換して送信することを可能とする異社間文字メッセージサービスシステムを開示している。
【０００６】
これらにより、異なる携帯電話会社の携帯電話機間においてもそれらの機能を違いを克服し、快適なコミュニケーションを実現できるものである。
【特許文献１】特開平１４−０４４２４９号公報
【特許文献２】特開２００３−１６３６９５号公報
【発明の開示】
【発明が解決しようとする課題】
【０００７】
しかしながら、携帯電話機の機能に関しては、インターネットを用いてデータ変換サーバを介して変換することは可能となったが、各種のサービスにおいては、同じ携帯電話会社の携帯電話同士でなければ、希望のサービスが受けられないものも少なくない。
【０００８】
例えば、同じ携帯電話会社の携帯電話機同士では、通話料金が安くなるもの、転送料金が安くなるもの、メール料金が安くなるもの、同じ携帯サイトで情報が共有できるもの、音楽などダウンロード形式を共有できるもの、待ち受け画像を共有できるもの、アプリケーションを共有できるものなど、多くのサービスを受けられることになる。
【０００９】
しかし、異なる携帯電話会社の携帯電話機同士では、このようなサービスは、まったく適応されない。
【００１０】
本発明の課題は、異社間の携帯電話の通話においても、お互いに同じ携帯電話会社の携帯電話同士で通話しているのと同等の環境を構築し、上記のようなさまざまなサービスを享受できる携帯電話通信システムを提供することである。
【課題を解決するための手段】
【００１１】
本発明は上記の問題を解決するために、異社携帯電話の通話環境の間に、中継局を配置し、該中継局に両方の携帯電話会社の携帯電話に適応し、相互にデータ変換できる環境を構築するものである。
【００１２】
本発明の請求項１は、異社間の携帯電話の通信システムにおいて、発信者側の携帯電話会社のネットワークと、着信者側の携帯電話会社のネットワークとの間に、中継局が設けられ、該中継局には、発信者からの電話を着信する着信部と、各携帯電話会社の電話通信を相互に変換するための変換部と、変換された電話信号を着信者に発信するための発信部とが設けられ、発信者側の携帯電話通信と、着信者側の携帯電話通信とが、該中継局において、相互に変換されて通話が行われることを特徴とする異社間の携帯電話通信システムである。
【００１３】
該変換部は、異社間の携帯電話の通信データを相互に変換する処理部であり、通話データ、画像データ、映像データ、メールデータ、音楽データなどのデータ変換できるものであり、他社の携帯サイトやそのアプリケーションを使用可能とするプログラムなどである。
【００１４】
これにより、異社間の携帯電話の機能が共有され、各種のデータのやり取りが可能となり、各種のサービスが共有可能となる。
【００１５】
本発明の請求項２は、前記の中継局に、発信者側電話会社の携帯電話番号による通信手段と、着信者側電話会社の携帯電話番号による通信手段とが設けられ、発信者と着信者の各々が自分と同じ電話会社の携帯電話と通話している状態を構築できることを特徴とする異社間の携帯電話通信システムである。
【００１６】
該通信手段は、着信者側携帯電話会社の使用する携帯電話番号が複数登録され、前記の変換部で変換された通信データをここで登録されている携帯電話番号を用いて発信するものである。
【００１７】
これにより、発信者と着信者とは、同じ携帯電話会社の携帯電話機同士での通話と同じ環境となり、共通のサービスを享受できる。
【００１８】
本発明の請求項３は、前記の中継局において、前記の変換部が複数設けられ、発信者からの電話を着信部が着信した場合に、該複数の変換部の中から未使用状態の変換部を検索して接続し、着信部を未接続の状態に切り換えるための回線制御部が設けられていることを特徴とする請求項１又は請求項２に記載の異社間の携帯電話通信システムである。
【００１９】
該回線制御部は、発信者側の携帯電話と着信者の携帯電話の会社を判別し、変換部に対して変換処理を制御するものである。
【発明の効果】
【００２０】
本発明は、以下のような効果を奏する。
【００２１】
１）異社間の携帯電話の通話において、互いに同じ電話会社の携帯電話と通話している場合と同様に各種の機能を使用した通話ができる。
【００２２】
２）異社間の携帯電話の通話においても、同じ携帯電話会社の携帯電話同士で通話する場合と同様なサービスを享受できる。
【００２３】
３）複数の変換部を設けることにより、多種、多様の異社間の携帯電話の通話に対応できる。
【００２４】
４）回線制御部を設け、回線を切り替えて使用することにより、着信部の電話番号は一つで多数の変換通話を実現できる。
【発明を実施するための最良の形態】
【００２５】
本発明の実施の形態について、図面を用いて説明する。
【００２６】
図１は本発明による携帯電話通信システムの実施例を示す図であり、発信者の携帯電話ネットワークから中継局を経由して着信者の携帯電話会社のネットワークへと接続される場合を示す。
【００２７】
本実施例の携帯電話通信システムは、発信者側携帯電話（Ａ社の携帯電話機Ａ１、Ｂ社の携帯電話Ｂ１、Ｃ社の携帯電話Ｃ１）と、該携帯電話に電波を送受信する発信者側基地局（Ａ社の基地局Ａ２、Ｂ社の基地局Ｂ２、Ｃ社の基地局Ｃ２）と、携帯電話会社の本局（Ａ社の本局Ａ３、Ｂ社の本局Ｂ３、Ｃ社の本局Ｃ３）と、発信者に対応する中継局側基地局（Ａ社の基地局Ａ４、Ｂ社の基地局Ｂ４、Ｃ社の基地局Ｃ４）と、発信者に対応する中継局側基地局からの電波を送受信し、相互に通信を変換して、着信者に対応する中継局側基地局に対して送受信するための中継局２と、該中継局２からの電波を送受信する、着信者に対応する中継局側基地局（Ｄ社の基地局Ｄ４、Ｅ社の基地局Ｅ４、Ｆ社の基地局Ｆ４）と、携帯電話会社の本局（Ｄ社の本局Ｄ３、Ｅ社の本局Ｅ３、Ｆ社の本局Ｆ３）と携帯電話に電波を送受信する着信者側基地局（Ｄ社の基地局Ｄ２、Ｅ社の基地局Ｅ２、Ｆ社の基地局Ｆ２）と、着信者側携帯電話（Ｄ社の携帯電話Ｄ１、Ｅ社の携帯電話Ｅ１、Ｆ社の携帯電話Ｆ１）とから構成される。
【００２８】
上記の中継局２は、図２の基本構成図に示すように、発信者に対応する中継局側基地局（Ａ４、Ｂ４、Ｃ４）からの無線通信が送受信され、発信者の携帯電話からの通信を送受信する通信部１０と、発信者の携帯電話からの通信データと着信者の携帯電話からの通信データとを相互に変換する変換部１１と、変換された通信データを基地局を通して着信者側の携帯電話に無線送受信するための無線通信部１２が設けられている。
【００２９】
それらの通信データは制御部１３により制御され、相互に通信データを変換し、送受信される。
【００３０】
実際には、複数の会社の携帯電話からの通信データを同時に処理する必要があるため、上記の変換部は複数設置されている必要がある。
【００３１】
図３は、複数の変換部を有する中継局の実施例を示す概略構成図であり、発信者の携帯電話から中継局２までの間を発信者側の携帯電話会社のネットワークで接続された場合を示す。
【００３２】
発信者側基地局からの通信データは、通信部１０に着信し、回線制御部１３により、複数の変換部（１１Ａ〜１１Ｆ）の中から未接続の変換部に接続され、送受信部は未接続の状態になる。
【００３３】
変換部（１１Ａ〜１１Ｆ）では、着信者側携帯電話会社に対応した通信データに変換され、着信者側携帯電話会社に対応した無線通信部（１２Ａ〜１２Ｆ）より、着信者に対応する中継局側基地局に発信される。
【００３４】
次に本発明の利用手順について、図４を用いて説明する。
【００３５】
本発明の異社間の携帯電話通信システムを利用するためには、以下の手順で登録してから使用することが可能となる。
【００３６】
Ｓ−１）利用者登録
本異社間の携帯電話通信システムによる通話を希望する利用希望者は、最初に所定の登録手続により、登録者の氏名、住所などの基本情報と、携帯電話の会社名及び機種名、携帯電話番号を登録する。
【００３７】
Ｓ−２）ＩＤ発行
登録に従って、ＩＤ番号（この場合には電話番号でも可）が登録者に発行され、これらの登録情報は、携帯電話情報データベース１４に記録される。
【００３８】
Ｓ−３）発  信
登録されている発信者の携帯電話から中継局２の電話番号、（ＩＤ番号）、相手の携帯電話番号を続けて発信する。
【００３９】
Ｓ−４）携帯基地局
発信者の通信を発信者に近い携帯基地局が送受信し、専用回線により携帯電話の本局に送受信する。
【００４０】
Ｓ−５）携帯本局
携帯電話の本局では、携帯基地局からの通信を専用回線で送受信し、中継局２に近い携帯基地局に専用回線で送受信する。
【００４１】
Ｓ−６）携帯基地局
中継局２に近い携帯基地局では、発信者の通信を無線通信により、中継局２の発信者対応携帯端末に送受信する。
【００４２】
Ｓ−７）発信者対応携帯
中継局２に設けられた発信者対応携帯端末が発信者の通信を送受信する。
【００４３】
Ｓ−８）ＩＤ認識
中継局２は、発信者のＩＤを電話番号より認識する。
【００４４】
Ｓ−９）相手先電話番号確認
中継局２は、相手先の電話番号を確認する。
【００４５】
Ｓ−１０）着信者対応携帯
中継局２は、発信者の通信を変換し、着信者の携帯電話に対応した無線通信部１２Ａより、中継局２に近い着信者に対応した携帯基地局に発信される。
【００４６】
Ｓ−１１）携帯基地局
着信者に対応した中継局側携帯基地局では、中継局２からの通信を携帯本局に専用回線で送受信する。
【００４７】
Ｓ−１２）携帯本局
携帯本局では、発信者からの通信を着信者に近い携帯基地局に専用回線で送受信する。
【００４８】
Ｓ−１３）携帯基地局
着信者側基地局では、発信者の通信を相手先である着信者の携帯電話に無線通信する。
【００４９】
Ｓ−１４）相手先携帯
相手先である着信者は、基地局からの電話を受信し、発信者と通信開始となる。
【００５０】
次に、中継局での回線切り替え動作、及び通信変換動作について図５を用いて説明する。
【００５１】
Ｔ−１）発  信
登録されている発信者の携帯電話から中継局２の電話番号、（ＩＤ番号）、相手の携帯電話番号を続けて発信する。
【００５２】
Ｔ−２）中継局受信
中継局２の通信部１０が発信者からの電話を受信する。
【００５３】
Ｔ−３）ＩＤ確認
受信した通信部１０は、登録されている携帯電話からの電話であるかを携帯電話情報データベース１４を照合し、ＩＤ番号で確認する。
【００５４】
Ｔ−４）回線の切り換え
ＩＤが確認されると、回線制御部１３は、回線を未使用の変換部１１Ａに切り換え、通信部１０を未接続の状態に戻す。
【００５５】
これにより、他の利用者からの受信を行うことができる。
【００５６】
次に他の携帯電話から受信すると、同様に、未使用の変換部１１Ｂに切り換え、再度通信部１０を未使用状態に戻す。
【００５７】
Ｔ−５）登録情報抽出
回線制御部１３は、相手先の電話番号から着信者の携帯電話の会社を判別し、ＩＤ番号より登録の携帯電話を判別し、携帯電話情報データベース１４より、変換に必要な情報を抽出し、変換部に送信する。
【００５８】
Ｔ−６）通信データ変換
変換部１１Ａは、変換に必要な情報を回線制御部より受け取り、発信者の携帯電話の通信データを着信者の携帯電話の通信データに変換する。
【００５９】
Ｔ−７）変換データの発信
変換された通信データは、着信者の携帯電話に対応した無線通信部１２Ａより、着信者の携帯電話に発信される。
【００６０】
Ｔ−８）通話開始
着信者は、通信データを着信し、通話が開始される。
【００６１】
このように、異社間の携帯電話において、変換部を有する中継局を介して通話することで、相手の携帯電話会社を意識することなく、気軽に通話することが可能となる。
【００６２】
同じ携帯電話会社の携帯電話機同士の通話と同じ環境となるので、同じ会社の携帯電話機同士の通話のときにのみ適応されるサービスを使用できる。
【００６３】
また、本実施例では、変換部（１１Ａ〜１１Ｆ）は、回線制御部１３からの情報により、どの会社でも返還できる機能を有するものとして示したが、各会社専用の変換部としても良い。
【００６４】
また、無線通信部（１２Ａ〜１２Ｆ）は、各社専用の無線通信部として複数設けても良く、汎用的に回線制御部からの情報で各社に対応した送受信を行うプログラムを有するものでも良い。
【図面の簡単な説明】
【００６５】
【図１】本発明による異社間携帯電話通信システムの実施例を示す概略構成図である。
【図２】本発明による異社間携帯電話通信システムの中継局の基本構成図である。
【図３】本発明による異社間携帯電話通信システムの中継局の実施例を示す概略構成図である。
【図４】本発明による異社間携帯電話通信システムの利用手順を示すフロー図である。
【図５】本発明による異社間携帯電話通信システムの動作手順を示すフロー図である。
【符号の説明】
【００６６】
２  中継局
Ａ１、Ｂ１、Ｃ１  発信者側携帯電話機
Ａ２、Ｂ２、Ｃ２  発信者側基地局
Ａ３、Ｂ３、Ｃ３  発信者側携帯本局
Ａ４、Ｂ４、Ｃ４  発信者に対応した中継局側基地局
Ｄ１、Ｅ１、Ｆ１  着信者側携帯電話機
Ｄ２、Ｅ２、Ｆ２  着信者側基地局
Ｄ３、Ｅ３、Ｆ３  着信者側携帯本局
Ｄ４、Ｅ４、Ｆ４  着信者に対応した中継局側基地局
１０  通信部
１１、１１Ａ〜１１Ｆ  変換部
１２、１２Ａ〜１２Ｆ  無線通信部
１３  回線制御部
１４  携帯電話情報データベース
【図１】
2007116390.tif 000003
【図２】
2007116390.tif 000004
【図３】
2007116390.tif 000005
【図４】
2007116390.tif 000006
【図５】
2007116390.tif 000007